(57)【要約】      （修正有）【課題】底部材を構成する合成樹脂またはゴム材料を出来るだけ少量に保ちつつ周壁部材と底面部材との接合部分自体の強度のみならず、底面部材を保護しつつ、周壁部材も含めた全体の強度、或いは、耐久性の向上を実現したバケツの提供。【解決手段】筒状の周壁を構成する周壁部材４と、該周壁部材４の軸方向における一端側を閉塞して底面を構成する底面部材５とを接合して形成するとともに、周壁部材４と底面部材５との接合部分における外周側に、接地部８ｂを下端に有した合成樹脂またはゴム製の底部材３を取り付けたバケツ１０であって、底部材３に、上記底面部材５を保護する保護部を具備して形成したバケツ１０。【選択図】図１
0003116035.tif 000002
【実用新案登録請求の範囲】
【請求項１】
筒状の周壁を構成する周壁部材と、該周壁部材の軸方向における一端側を閉塞して底面を構成する底面部材とを接合して形成するとともに、上記周壁部材と上記底面部材との接合部分における外周側に、接地部を下端に有した合成樹脂またはゴム製の底部材を取り付けたバケツであって、
上記底部材に、上記底面部材を保護する保護部を具備して形成した
バケツ。
【請求項２】
上記保護部は、上記底面部材の下側において該底面部材を隠蔽する板状に形成した
請求項１に記載のバケツ。
【請求項３】
上記底部材を補強する補強部を、該底部材に具備して形成した
請求項１又は請求項２に記載のバケツ。
【請求項４】
上記補強部は、上記底面部材の下側において交差する形態で上記保護部に具備して形成した
請求項３に記載のバケツ。
【請求項５】
筒状の周壁を構成する周壁部材と、該周壁部材の軸方向における一端側を閉塞して底面を構成する底面部材とを接合して形成するとともに、上記周壁部材と上記底面部材との接合部分における外周側に、接地部を下端に有した合成樹脂またはゴム製の底部材を取り付けたバケツであって、
上記底面部材を補強する補強部を、上記底面部材の下側において交差する形態に横架させて形成した
バケツ。
【請求項６】
上記保護部に、該保護部を正面視したとき環状の上記補強部を少なくとも１つ具備した
請求項１から請求項４のうちいずれか１項に記載のバケツ。
【請求項７】
上記接合部分に対する外周側において上記接合部分と対向する上記底部材の内周面における下端位置よりも下方へ延設した延設部を、上記底部材に具備し、
上記保護部、或いは、上記補強部を上記延設部に対して着脱式に形成した
請求項１から請求項６のうちいずれか１項に記載のバケツ。
【考案の詳細な説明】
【技術分野】
【０００１】
この考案は、清掃や消火用は勿論、さらには、砂、コンクリートなどの固形状物体を運搬するためなど、様々な用途のために水や固形状物体を入れて用いられるバケツに関し、より詳しくはブリキ製のバケツに関する。
【背景技術】
【０００２】
ブリキ製のバケツは、上述したように様々な用途で用いられているが、いずれの用途においても、例えば、錆び難く丈夫であること、安定して接地できること、などの品質が求められる。
【０００３】
これに対して、上述したような品質を従来のバケツと比較して格段に向上させたバケツが下記特許文献１において開示されている。  
具体的に、下記特許文献１におけるバケツは、筒状の周壁を構成する周壁部材と、該周壁部材の軸方向における一端側を閉塞して底面を構成する底面部材とを接合する上記接合部分において、合成樹脂またはゴム製の底部材を取り付けて形成している。
【０００４】
このため、上記バケツは、上記周壁部材と上記底面部材との接合部分をバンド部材によりプレスしたものと比較すると錆び難く丈夫であり、安定して接地でき、さらには低い製造コストを実現することができる。
【０００５】
しかし、上記バケツは、上記底部材を上記接合部分に対して外周側に具備しているが、バケツ本体における底面部材に相当する部位には、当該底部材を原則、配しない構成を前提としているといえる。このため、バケツを繰り返し使用することにより、底面部材が傷付いたり、メッキが剥がれたりして錆びてしまうおそれがある。或いは、砂やコンクリートなどを入れて運搬する場合は、強度面、耐久性の面で充分とはいえないという課題を有していた。
【０００６】
仮に、下記特許文献１におけるバケツは、強度を高めるべく、上記底部材の厚みを厚く形成しても、バケツ本体に取り付けたときの全体の見栄えがスマートでなく、材料費が嵩んでしまうなどといった課題を招来してしまう。
【０００７】
【特許文献１】実用新案登録第３０７０９８９号公報
【考案の開示】
【考案が解決しようとする課題】
【０００８】
そこで本考案では、底部材を構成する合成樹脂またはゴム材料を出来るだけ少量に保ちつつ周壁部材と底面部材との接合部分自体の強度のみならず、底面部材を保護しつつ、周壁部材も含めた全体の強度、或いは、耐久性の向上を実現したバケツの提供を目的とする。
【課題を解決するための手段】
【０００９】
本考案のバケツは、筒状の周壁を構成する周壁部材と、該周壁部材の軸方向における一端側を閉塞して底面を構成する底面部材とを接合して形成するとともに、上記周壁部材と上記底面部材との接合部分における外周側に、接地部を下端に有した合成樹脂またはゴム製の底部材を取り付けたバケツであって、上記底部材に、上記底面部材を保護する保護部を具備して形成することを特徴とする。
【００１０】
さらに、本考案のバケツは、上記底部材に、上記底部材を補強する補強部を具備して形成することが好ましい。
【００１１】
上記保護部は、上記底面部材の下側において該底面部材を隠蔽する板状に形成することが好ましい。
【００１２】
また、上記バケツは、上記底部材を補強する補強部を、該底部材に具備して形成することが好ましい。
【００１３】
特に、上記補強部は、上記底面部材の下側において交差する形態で上記保護部に具備して形成することが好ましい。
【００１４】
或いは、上記補強部は、上記底面部材の下側において交差する形態に横架させて形成することもできる。
【００１５】
すなわち、上記補強部は、上記底面部材の下側に有する空間に交差させて形成してもよく、又、上記底面部材の下側に有する保護部と一体に形成してもよい。
【００１６】
さらに、上記補強部は、上記保護部を正面視したとき十の字形に交差させて形成する、或いは、上記保護部を正面視したとき少なくとも環状の凸部、或いは凹部を有した形態で形成する、さらには、３本以上の補強部を上記底面部材の下側において交差するように横架させて形成するなど、補強部の形態は、限定しない。
【００１７】
さらにまた、本考案のバケツは、上記接合部分に対する外周側において上記接合部分と対向する上記底部材の内周面における下端位置よりも下方へ延設した延設部を、上記底部材に具備し、上記保護部、或いは、上記補強部を上記延設部に対して着脱式に形成することが好ましい。
【考案の効果】
【００１８】
請求項１に記載の考案によれば、底部材に保護部を具備する構成であるため、このようなバケツを接地させたとき、例えば、接地面に有する石などが底面部材に当接した場合であっても、底面部材が傷付いたり、メッキが剥がれたりしないよう保護することもできる。
【００１９】
勿論、保護部は、ブリキ製の底面部材の裏面が濡れないように水に対して底面部材を保護することもできるため、たとえメッキが剥がれていても錆びの原因を防ぐことができる。
【００２０】
さらに、本考案におけるバケツは、厚みを厚く形成した底部材をバケツ本体に取り付けたバケツのように、バケツ全体の見栄えが悪化してしまうこともなく、スマートな外観で、且つ、軽量に構成することができる。
【００２１】
加えて、底面部材の下側に保護部を具備した構成であれば、例えば、バケツ本体内に石などを入れても、薄肉のブリキ製の底面部材が下側に変形しないよう補強することができる。
【００２２】
請求項２に記載の考案によれば、底面部材を隠蔽する板状に形成しているため、保護部を軽量に保ちつつ、底面部材全体を保護することができる。
【００２３】
請求項３に記載の考案によれば、本考案に係るバケツは、上記底部材に補強部を具備することにより、該底部材の厚みを厚く形成することがなく、強度を高めることができる。
【００２４】
底部材の強度のうち、特に、剛性を高めることができるため、例えば、石やコンクリートなどの固形状の物体をバケツ内に入れても、特に、バケツ本体における周壁部材の形状が変形せず、元の筒状の形状に保つことができる。
【００２５】
このため、底部材の厚みを厚く形成した場合と比較して底部材を構成する樹脂、或いは、ゴム材料を最低限に減らして強度の高い底部材を構成することができ、材料費の低減を図ることができる。
【００２６】
請求項４に記載の考案によれば、補強部を保護部に具備することにより、保護部の強度は、勿論、底部材の剛性も高めることができる。
【００２７】
特に、補強部を交差する形態で形成すれば、補強のために全体の厚みを厚く形成する場合と比較して少ない樹脂材料などで効率的に強度、剛性を高めることができる。
【００２８】
請求項５に記載の考案によれば、補強部は、底部材を補強することができ、保護部なしで単独で底面部材の下側において具備する構成であっても、補強部を底面部材を保護する保護部として作用させることもできる。
【００２９】
請求項６に記載の考案によれば、補強部は、該保護部を正面視したとき環状に保護部に対して具備する構成であるため、保護部の周方向における、いずれの部位であっても補強することができる。
【００３０】
請求項７に記載の考案によれば、保護部を着脱可能に構成することにより、保護部とバケツ本体とを容易に分離することができるため、バケツを廃棄する際において、通常、異なる材質で構成される保護部とバケツ本体との分別を容易に行える。
【００３１】
さらに、保護部と底面部材の間を乾燥させたり、洗浄する際に容易に保護部を取り外したりすることができるため、バケツを衛生的に保ことができる。しかも、万一、保護部が破損した場合であっても、新しい保護部と取り替えることができるといった効果を得ることができる。
【考案を実施するための最良の形態】
【００３２】
この考案の一実施形態を、以下図面を用いて説明する。  
【実施例１】
【００３３】
実施例１におけるバケツ１０は、図１に示したような外観で形成している。  
なお、図１は、本実例１におけるバケツ１０の一部断面正面図を示す。
【００３４】
すなわち、本実施例におけるバケツ１０は、図２に示したように、丸い桶状をしたブリキ製のバケツ本体２と、合成樹脂製の底部材３とを具備して構成し、図３に示したように上記バケツ本体２における下端に対して底部材３を嵌着して一体に構成している。
【００３５】
上記バケツ本体２は、下方ほど小径となる筒状に形成した周壁部材４と、この周壁部材４の下端に接合する底面部材５とを嵌着して一体に形成している。
【００３６】
具体的に、上記バケツ本体２における周壁部材４と上記底面部材５との接合は、図３の要部拡大図に示したように、底面部材５の外周縁に形成した挟持縁５ａで周壁部材４の下端縁４ａを内外に挟んで行う。
【００３７】
つまり、上記底面部材５における上記挟持縁５ａは、上記周壁部材４の下端縁４ａを嵌め込み可能に該底面部材５の上面における外周部を下方に窪ませた形状で形成している。そして、上記底面部材５の上面外周部における挟持縁５ａに対応する反対側の部位は、下方に突き出した突部６ｂを有して形成している。
【００３８】
また、上記周壁部材４における上記下端縁４ａは、該周壁部材４の下端外周に沿って真下方向に突き出した形状で形成している。  
上記周壁部材４における外周面６は、上記下端縁４ａから上方に進むにつれて外側にテーパ状に張り出した形状をしたテーパ面６ａを形成している。
【００３９】
なお、上記周壁部材４の上側の外周部における所定の対向部に対応する外側部位には、取手２５を枢着している（図１参照）。
【００４０】
続いて、上記底部材３について説明する。上記底部材３は、環状部８と面状保護部９とを具備して、金型成形により一体に成形している。
【００４１】
上記環状部８は、バケツ本体２の下端外周に対応する大きさを有して環状に形成している（図３の要部拡大図参照）。
【００４２】
上記環状部８は、該環状部８における内周面に、上記挟持縁５ａに嵌め込み可能に上記バケツ本体２の下端、及び、その外周部位が接触する形状をした接触面７を形成している。  
さらに、上記接触面７は、上から上記テーパ面６ａに対応する角度の傾斜面７ａと、上記突部６ｂに嵌合対応する凹溝７ｂとを有して形成している。
【００４３】
また、上記環状部８における上記接触面７に相当する部位より下側は、下方に延設させて延設部８ａを形成し、上記環状部８の高さを高くしている。これにより、底部材３は、延設部８ａを介して下端外周部にバケツ本体２の接地を回避すべく適宜、平らな接地部８ｂを形成している。
【００４４】
これに対して、面状保護部９は、延設部８ａによって囲まれた底面部材５の下側に有する上記内部空間Ａにおいて、バケツ本体２の底面部材５全体を隠蔽可能に底面部材５と正面視略同じ大きさを有した板状に形成されるとともに、上記環状部８に対して一体に形成されている。
【００４５】
上述した本実施例におけるバケツ１０は、バケツ本体２に底部材３を嵌着するだけで製造することができる。
【００４６】
本実施例におけるバケツ１０のように、上記バケツ本体２に上記底部材３を取り付けることで、様々な効果を奏することができる。  
例えば、面状保護部９がバケツ本体２の底面部材５を完全に隠蔽することができるため、水などが底面部材５に付着して錆びてしまうことを防ぐことができる。  
勿論、接地面に存在する水以外の石や砂などにより、底面部材５表面に傷が付くことを防ぐことができる。
【００４７】
さらに、上記環状部８と上記面状補強部１１とは、上記環状部８の内周沿いにかけて一体に形成しているため、本実施例におけるバケツ１０は、底部材３の一体性がさらに増し、バケツ本体２をしっかりと補強することができる。
【００４８】
加えて、本実施例のバケツ１０は、バケツ本体２に砂やコンクリートなどの固形状の物体を入れた場合であっても、面状保護部９が底面部材５に対して下側に有する形態を採るため、例えば、底面部材５が下方に膨出した形状に変形してしまうことを防ぐこともできる。
【００４９】
しかも、面状保護部９は、板状に形成しているため、バケツ１０全体を軽量に保つことができるため、持ち運びに支障を来たさず、底部材３を構成するために用いる樹脂材料を極力、低減することができる。
【００５０】
その他にも、底部材３は、金型成形により環状部８と面状保護部９とを一体に形成しているため、製造が容易であり、コストの低減を図ることができるという効果も有する。
【００５１】
以下では、他の実施例におけるバケツ２０，３０，４０について説明するが、上述した実施例１におけるバケツ１０の構成と同様の構成については、同一の符号を付して、その説明を省略する。
【実施例２】
【００５２】
実施例２におけるバケツ２０を構成する底部材１４も、延設部８ａによって囲まれた底面部材５の下側に有する上記内部空間Ａに、面状保護部９に相当するものを具備している。
【００５３】
さらに、面状保護部１１は、円板状をした両面における一方の側の面上に、図４、及び、図５（ａ），（ｂ）に示したように、本実施例のバケツ２０を底面視したとき略十字形になる形態となるリブ１１ａを具備している。
【００５４】
換言すれば、上記リブ１１ａは、上記延設部８ａの内周面において互いのなす角が直角になる所定の２つの対向部位からそれぞれ横架させた形成で形成している。
【００５５】
上記面状保護部１１のように、その表面にリブ１１ａを形成することにより、上記面状保護部１１におけるリブ１１ａを形成を形成していない他の部位が薄肉であっても、最小限の樹脂材料によって、効率的に該面状保護部１１全体の強度を高めることができ、バケツ２０自体を軽量に保つことができる。
【実施例３】
【００５６】
実施例３におけるバケツ３０を構成する底部材１６も、延設部８ａによって囲まれた底面部材５の下側に有する上記内部空間Ａに、面状保護部９，１１に相当するものを具備している。
【００５７】
但し、本実施例においては、図６（ａ）、（ｂ）に示したように、上記内部空間部Ａにおける面状保護部９，１１に相当する部位に環状部８に対して嵌着、或いは、取り外し可能な別部材で構成した面状保護板２４を具備している。
【００５８】
すなわち、まず図６（ａ）における要部拡大図に示したように、面状保護板２４は、円板状の部材で形成し、その外周縁部における所定の各部位に、面状保護板２４を環状部８に嵌着したとき、後述する被係合凹部２２ｂに係合される係合爪２２ａを形成している。
【００５９】
さらに、上記延設部８ａの内周側には、面状保護板２４を環状部８に嵌着したとき、上記係合爪２２ａに対応する部位に、該係合爪２２ａに係合可能な凹状の被係合凹部２２ｂを形成している。
【００６０】
このようにして、適宜、面状保護板２４を環状部８に対して嵌着、或いは、取り外しが可能に構成している。
【００６１】
さらに、上記面状補強部材２４は、該面状補強部材２４の下面において、下方に突き出した複数のリブ２４ａを同心円状に形成している。
【００６２】
本実施例におけるバケツ３０のように、面状保護板２４を環状部８に対して着脱可能に構成することにより、バケツ３０自体を廃棄する際に、合成樹脂製の面状保護板２４とブリキ製のバケツ本体２との分離を容易に一時的に行うことができる。さらに、面状保護板２４と底面部材５の間の内部空間Ａを乾燥させたり、掃除する際に容易に取り外すことができるため、該内部空間Ａを衛生的に保ことができる。しかも、万一、面状保護板２４が破損した場合であっても、新しいものと取り替えることができるといった効果を得ることができる。
【００６３】
また、例えば、面状保護板２４は、環状部８に対して上述したように、嵌着、或いは、係合する構成に限らず、螺合による構成など他の構成により着脱式に構成することができる。
【００６４】
さらに、本実施例のように、リブ２４ａを同心円状に形成する、或いは、実施例２の面状保護部１１におけるリブ１１ａのように底面視十の字形に形成する、さらには、３本以上のリブを内部空間Ａにおける中心部で交差するように横架させるなど、リブの形態は、限定しない。
【００６５】
ちなみに、バケツ３０を接地面に接地したとき、上記面状保護板２４に形成したリブ２４ａが接地面に接触するよう接地部８ｂと、リブ１１ａの下端とが略面一になるよう形成すれば、リブ１１ａ自体を滑り止め用の手段としても併用することもできる。
【実施例４】
【００６６】
最後に、実施例４におけるバケツ４０について説明する。  
また、本実施例における底部材１５は、上記内部空間Ａに上記面状保護部９，１１や面状保護板２４に相当するものを具備して形成しておらず、補強部２１を具備している。すなわち、補強部２１は、実施例２における底面視略十字形をした形態のリブ１１ａと同様の形態で形成しているが、図７（ａ），（ｂ）に示したように、上記内部空間Ａにおいて横架させて環状部８に対して一体に形成している。
【００６７】
さらに、本実施例における底部材１５は、環状部８における接地部８ｂに、周方向における所定間隔ごとに切り欠いた切り欠き部１２を複数、形成している。
【００６８】
さらにまた、上記環状部８は、外周面において所定間隔ごとに、突状のリブ１３を複数、形成している。
【００６９】
なお、このように、リブ１３（補強部）は、上記面状保護部９，１１や面状保護板２４に対して形成するに限らず、上記環状部８に直接、形成してもよい。
【００７０】
上述したような構成によれば、補強部２１は、環状部８に対して両持ち（横架）させた形態で構成することにより、例えば、片持ちさせた構成の補強部と比較して強度を格段に補強することができる。
【００７１】
すなわち、上述したような補強部２１を具備することにより、底部材１５における特に上記環状部８の剛性（保形力）を高める作用を有するとともに、底面部材５が下側に変形することを確実に防ぐことができるという効果も有する。
【００７２】
また、上述したような構成によれば、接地部８ｂに複数の切り欠き部１２を形成することにより、接地部８ｂは、接地面に対して係合し易くなるため、滑り易い接地面であっても、バケツ４０を安定して接地することができる。
【００７３】
さらに、切り欠き部１２は、延設部８ａによって囲まれた内部空間Ａに水が残留しないように、切り欠き部１２を通じて内部空間Ａに残留する水を外側へと流出させることができる。
【００７４】
しかも、接地部８ｂに切り欠き部１２を形成することにより、内部空間Ａの通気性も確保することができるため、バケツ４０を接地し続けても底面部材５などが錆びたりすることがなく、内部空間Ａ内を衛生的に保つことができるといった効果を奏することができる。
【００７５】
さらに、底部材１５は、上記環状部８に対して上記リブ１３、及び、上記切り欠き部１２のうち、いずれか一方のみを具備した構成であっても勿論、構わないが、本実施例のように環状部８に対してリブ１３、及び、切り欠き部１２をともに形成することが好ましい。
【００７６】
なぜなら、環状部８に切り欠き部１２を形成することによって、上述したように、滑り止め、通気性などの観点で様々な効果を得ることができるとともに、環状部８に直接、リブ１３を形成しているため、切り欠き部１２を形成することにより環状部８自体の強度が低下してしまうという弊害を補うことができるためである。
【００７７】
すなわち、環状部８にリブ１３を形成することにより、上記環状部８全体の厚みを厚く形成しなくても強度を確保することができ、結果的に、樹脂材量の削減に寄与し、しかも、上記環状部８は、バケツ４０を接地したとき、視認可能な部位に位置するが、リブ１３を形成することで、見栄えを劣化させないどころが、複数のリブ１３が模様として作用し、優れた外観に形成することもできる。
【００７８】
上述の実施形態と、この考案の構成との対応において、この実施形態の上記面状保護部９、１１，又は、面状保護板２４は、この考案の保護部に対応し、
以下、同様に、
リブ１１ａ，１３，２４ａ、及び、補強部２１は、補強部に対応するも、
この考案は、上述の実施形態の形態のみに限定されるものではなく、多くの実施の形態を得ることができる。
【００７９】
例えば、上述した実施例におけるバケツ１０，２０，３０，４０は、使用後に廃棄する際において、バケツ本体と底部材とを容易に分離可能に構成してもよい。
【００８０】
具体的に、このようなバケツは、通常、使用する上では、不用意に分離してしまうことがないが、廃棄する際には、ドライバなどの工具を差し込んで抉るだけでバケツ本体と底部材とを容易に分離できるような穴部、若しくは、切り欠き部などを底部材の所定部位に具備して構成してもよい。
【００８１】
このような構成を採れば、上述した実施例におけるバケツ１０，２０，３０，４０は、材質の異なる部材、すなわち、ブリキ製のバケツ本体２と合成樹脂製の底部材３，１４，１５，１６とを一体にして構成しているが、廃棄の際に、穴部、若しくは、切り欠き部をドライバなどで抉るだけで分別できるため、分別が容易になり、環境に易しくリサイクルに貢献できるバケツを構成することができる。
【図面の簡単な説明】
【００８２】
【図１】実施例１におけるバケツの一部断面正面図。
【図２】実施例１におけるバケツの底面部材を分離した状態の斜視図。
【図３】一部拡大して示した実施例１におけるバケツの下部における一部断面正面図。
【図４】実施例２におけるバケツを下側から視た斜視図。
【図５】実施例２におけるバケツの下部における一部断面正面図（ａ），実施例２における底部材の正面図（ｂ）。
【図６】実施例３におけるバケツの下部における一部断面正面図（ａ），実施例３における底部材の正面図（ｂ）。
【図７】実施例４におけるバケツの下部における一部断面正面図（ａ），実施例４における底部材の正面図（ｂ）。
【符号の説明】
【００８３】
１０，２０，３０，４０…バケツ
２…バケツ本体
３，１４，１５，１６…底部材
４…周壁部材
５…底面部材
２１…補強部
９，１１…面状保護部
２４…面状保護板
１１ａ，１３，２４ａ…リブ
【図１】
0003116035.tif 000003
【図２】
0003116035.tif 000004
【図３】
0003116035.tif 000005
【図４】
0003116035.tif 000006
【図５】
0003116035.tif 000007
【図６】
0003116035.tif 000008
【図７】
0003116035.tif 000009